(57)【要約】【課題】給湯経路の内部に残された残り湯水により浴槽内に張られる湯が汚染されることを抑制する。【解決手段】排水栓装置は、排水栓、検知機構、判定部及び排水栓制御部を備える。排水栓は、浴槽の排水口を開栓及び閉栓する。検知機構は、浴槽内に張られた湯水の水位と相関を有する検知結果を取得する。判定部は、検知結果が、浴槽内に張られた湯水が排水されている場合に満たされる条件を満たすか否かを判定する。排水栓制御部は、排水栓を制御し、検知結果が条件を満たすと判定された時点から設定された閉栓無効時間にわたって排水栓が排水口を閉栓することを禁止する。【選択図】図２
2020159587.tif 000002
【特許請求の範囲】
【請求項１】
浴槽の排水口を開栓及び閉栓する排水栓と、
前記浴槽内に張られた湯水の水位と相関を有する検知結果を取得する検知機構と、
前記検知結果が、前記浴槽内に張られた湯水が排水されている場合に満たされる条件を満たすか否かを判定する判定部と、
前記排水栓を制御し、前記検知結果が前記条件を満たすと判定された時点から設定された閉栓無効時間にわたって前記排水栓が前記排水口を閉栓することを禁止する排水栓制御部と、
を備える排水栓装置。
【請求項２】
前記条件は、前記検知結果により特定される水位が設定された範囲内にあるという条件、又は前記検知結果により特定される水位が設定された範囲内にある状態が設定された時間にわたって継続しているという条件である
請求項１の排水栓装置。
【請求項３】
前記浴槽内に供給される湯を導く給湯経路
をさらに備え、
前記検知結果は、前記給湯経路の内部の圧力を示し、
前記条件は、前記圧力が負圧であるという条件、又は前記圧力が負圧である状態が設定された時間に渡って継続しているという条件である
請求項１の排水栓装置。
【請求項４】
前記条件は、前記検知結果により特定される水位の時間変化が設定された水位の時間変化であるという条件である
請求項１の排水栓装置。
【請求項５】
前記浴槽内に供給される湯を供給し、設定された配管洗浄時間にわたって洗浄用湯水を供給する給湯器と、
前記湯及び前記洗浄用湯水を導く給湯経路と、
をさらに備え、
前記閉栓無効時間は、前記配管洗浄時間と同じか又は前記配管洗浄時間より長い
請求項１か４までのいずれかの排水栓装置。
【請求項６】
前記浴槽内に供給される湯を導く給湯経路
をさらに備え、
前記検知機構は、前記給湯経路の内部に配置される
請求項１から５までのいずれかの排水栓装置。
【請求項７】
前記給湯経路は、給湯口を有し、
前記検知機構は、前記給湯口に沿って配置される
請求項６の排水栓装置。
【請求項８】
前記浴槽は、
壁部
を備え、
前記給湯経路は、
前記湯を導く給湯配管と、
前記壁部を貫通し、前記給湯配管が接続され、前記湯を前記浴槽内に供給する給湯口アダプタと、
を備え、
前記検知機構は、前記給湯口アダプタの内部に配置される
請求項６又は７の排水栓装置。
【請求項９】
前記検知機構は、前記浴槽内に配置される
請求項１から５までのいずれかの排水栓装置。
【請求項１０】
前記検知機構は、水圧センサであり、
前記検知結果は、水圧を示す
請求項１から９までのいずれかの排水栓装置。
【請求項１１】
前記浴槽内に供給される湯を供給し、前記排水栓が前記排水口を閉栓することを前記排水栓制御部が禁止している間に洗浄用湯水を供給する給湯器と、
前記湯及び前記洗浄用湯水を導く給湯経路と、
をさらに備える請求項１から１０までのいずれかの排水栓装置。
【請求項１２】
前記給湯経路は、前記湯を導く給湯配管と、前記浴槽内に張られた湯水の一部を導く戻し配管と、を備える追い焚き配管を備え、
前記洗浄用湯水は、未使用の上水であり、
前記給湯器は、
前記湯を前記給湯配管に供給し、
前記戻し配管により導かれてきた湯水を加熱して湯を得、得た湯を前記給湯配管に供給し、
前記未使用の上水を前記追い焚き配管に供給することにより前記追い焚き配管の内部に残された残り湯水を前記浴槽内に押し流す
請求項１１の排水栓装置。
【発明の詳細な説明】
【技術分野】
【０００１】
本発明は、自動式の排水栓装置に関する。
【背景技術】
【０００２】
入浴設備は、多くの場合は、給湯器、追い焚き配管、浴槽及び排水栓を備える。追い焚き配管は、給湯配管及び戻し配管を備える。
【０００３】
浴槽内に湯が張られる際には、排水栓が浴槽の排水口を閉栓する。また、給湯器が、給湯配管に湯を供給する。また、給湯配管が、供給された湯を浴槽内に導く。
【０００４】
浴槽内に張られた湯水が追い焚きされる際には、戻し配管が、張られた湯水の一部を給湯器に導く。給湯器は、導かれてきた湯水を加熱して湯を得、得た湯を給湯配管に供給する。このため、浴槽内に張られた湯水が追い焚きされた後には、追い焚き配管の内部に残り湯水が残される場合がある。
【０００５】
浴槽内に張られた湯水が排水される際には、排水栓が浴槽の排水口を開栓する。これにより、浴槽内に張られた湯水が、浴槽の排水口を経由して排水される。
【０００６】
一部の給湯器は、追い焚き配管を洗浄する機能を有する。当該給湯器は、洗浄用湯水を追い焚き配管に供給する。供給された洗浄用湯水は、追い焚き配管を流れ、浴槽内に供給される。これにより、追い焚き配管の内部に残された残り湯水が浴槽内に押し流される。その際に、排水栓は、浴槽の排水口を開栓したままにする。これにより、浴槽内に押し流された残り湯水が、排水口を経由して排水される。その結果として、その後に浴槽内に張られる湯には残り湯水が混入せず、浴槽内に張られる湯が残り湯水により汚染されことはない。
【０００７】
特許文献１に記載された技術においては、浴槽内に給湯が開始された場合に、栓部が開かれていると確認されたときには、３０秒の間、栓部がそのまま開状態に保持され、３０秒後に、栓部が閉止される（段落０００５）。栓部が閉じていると確認されたときは、栓部が開けられ、そのままの状態が維持され、３０秒後に、栓部が閉止される（段落０００６）。これらにより、３０秒間は、栓部が開かれて、給湯機から浴槽内に供給される湯が、排水口から排水される（段落０００６）。また、給湯配管内の残水とか汚れ等が良好に排水口から排出される（段落０００６）。
【先行技術文献】
【特許文献】
【０００８】
【特許文献１】特開２００３−５００４９号公報
【発明の概要】
【発明が解決しようとする課題】
【０００９】
追い焚き配管を洗浄する機能を有する給湯器により排水栓が制御される場合は、排水栓に不具合が生じていないときであっても、給湯器を交換する際に排水栓も同時に交換する必要がある。このため、給湯器を交換する際に排水栓も同時に交換する必要をなくすため、給湯器による制御から切り離れて制御される排水栓が求められる。
【００１０】
給湯器による制御から切り離れて制御される排水栓を実現するためには、給湯器が給湯配管に湯を供給したことを検知する必要がある。このため、給湯器が給湯配管に湯を供給したことを検知するセンサが給湯配管の内部に設置される。また、給湯器が給湯配管に湯を供給したことが当該センサにより検知された場合に排水栓が浴槽の排水口を閉栓するように排水栓が制御される。
【００１１】
しかし、当該センサは、給湯配管の内部に湯水が存在するか否かを検知することはできるが、給湯配管の内部に存在する湯水が浴槽に張られる湯及び洗浄用湯水のいずれであるのかを識別することができない。このため、排水栓が上述したように制御される場合は、給湯器が給湯配管に洗浄用湯水を供給したときにも排水栓が浴槽の排水口を閉栓するように排水栓が制御される。その結果として、浴槽内に押し流された残り湯水が、浴槽内に残される。また、その後に浴槽内に張られる湯に残り湯水が混入し、浴槽内に張られる湯が残り湯水により汚染される。
【００１２】
これらの問題は、追い焚き配管が他の種類の給湯経路に置き換えられた場合にも生じる。
【００１３】
本発明は、これらの問題に鑑みてなされた。本発明が解決しようとする課題は、給湯経路に残された残り湯水により浴槽内に張られる湯水が汚染されることを抑制することができる排水栓装置を提供することである。
【課題を解決するための手段】
【００１４】
排水栓装置は、排水栓、検知機構、判定部及び排水栓制御部を備える。
【００１５】
排水栓は、浴槽の排水口を開栓及び閉栓する。
【００１６】
検知機構は、浴槽内に張られた湯水の水位と相関を有する検知結果を取得する。
【００１７】
判定部は、検知結果が、浴槽内に張られた湯水が排水されている場合に満たされる条件を満たすか否かを判定する。
【００１８】
排水栓制御部は、排水栓を制御し、検知結果が条件を満たすと判定された時点から設定された閉栓無効時間にわたって排水栓が排水口を閉栓することを禁止する。
【発明の効果】
【００１９】
本発明によれば、浴槽内に張られた湯水が排水されていることが判明した時点から設定された閉栓無効時間にわたって浴槽の排水口が閉栓されない。このため、洗浄用湯水により給湯経路が洗浄された場合でも、給湯経路から押し流された残り湯水が排水口を経由して排水される。このため、後に浴槽内に張られる湯が残り湯水により汚染されることを抑制することができる。
【００２０】
本発明の目的、特徴、局面及び利点は、以下の詳細な説明と添付図面とによって、より明白となる。
【図面の簡単な説明】
【００２１】
【図１】第１実施形態の排水栓装置を備える入浴設備を模式的に図示する図である。
【図２】第１実施形態の排水栓装置を図示するブロック図である。
【図３】第１実施形態の排水栓装置を備える入浴設備において浴槽内に張られた湯水が排水されている間の当該湯水の水位の時間変化を示すグラフである。
【発明を実施するための形態】
【００２２】
１  入浴設備
図１は、第１実施形態の排水栓装置を備える入浴設備を模式的に図示する図である。
【００２３】
入浴設備１は、図１に図示されるように、給湯器１０、給湯経路１１、浴槽１２及び排水栓１３を備える。給湯経路１１は、追い焚き配管１００及び給湯口アダプタ１０１を備える。追い焚き配管１００は、循環式の追い焚き配管であり、給湯配管１１０及び戻し配管１１１を備える。
【００２４】
給湯配管１１０の一端は、給湯器１０に接続される。給湯配管１１０の他端は、給湯口アダプタ１０１に接続される。戻し配管１１１の一端は、給湯口アダプタ１０１に接続される。戻し配管１１１の他端は、給湯器１０に接続される。
【００２５】
浴槽１２は、壁部１２０を備える。給湯口アダプタ１０１は、壁部１２０を貫通する。給湯口アダプタ１０１は、給湯口を有する。
【００２６】
浴槽１２内に湯が張られる場合は、排水栓１３が浴槽１２の排水口１３０を閉栓する。また、給湯器１０が、給湯配管１１０に湯を供給する。また、給湯配管１１０が、供給された湯を給湯器１０から給湯口アダプタ１０１まで導く。また、給湯口アダプタ１０１が、導かれてきた湯を給湯口を経由して浴槽１２内に供給する。
【００２７】
浴槽１２内に張られた湯水Ｗが追い焚きされる際には、給湯口アダプタ１０１が、浴槽１２内に張られた湯水Ｗの一部を給湯口を経由して取り込む。また、戻し配管１１１が、取り込まれた湯水を給湯口アダプタ１０１から給湯器１０まで導く。また、給湯器１０が、導かれてきた湯水を加熱して湯を得、得た湯を給湯配管１１０に供給する。
【００２８】
浴槽１２内に張られた湯水Ｗが排水される際には、排水栓１３が、浴槽１２の排水口１３０を開栓する。これにより、浴槽１２内に張られた湯水Ｗが、浴槽１２の排水口１３０を経由して排水される。
【００２９】
追い焚き配管１００が洗浄される際には、給湯器１０が、設定された配管洗浄時間にわたって洗浄用湯水を追い焚き配管１００に供給する。また、追い焚き配管１００が、供給された洗浄用湯水を給湯器１０から給湯口アダプタ１０１まで導く。また、給湯口アダプタ１０１が、導かれてきた洗浄用湯水を浴槽１２内に供給する。これにより、追い焚き配管１００の内部に残された残り湯水が浴槽１２まで押し流される。洗浄用湯水は、例えば、未使用の上水である。
【００３０】
給湯経路１１の構造が変更されてもよい。
【００３１】
浴槽１２の使用者が浴槽１２の排水口１３０の閉塞を忘れたまま、上記の手順にて浴槽１２内に湯を張ろうとした場合、検知機構１５０により給湯が行われていることを検知することで、浴槽１２の排水口１３０を自動的に閉塞する。
【００３２】
２  排水栓装置
図２は、第１実施形態の排水栓装置を図示するブロック図である。
【００３３】
第１実施形態の排水栓装置１４０は、図１及び図２に図示されるように、排水栓１３、検知機構１５０及び制御部１５１を備える。制御部１５１は、判定部１６０及び排水栓制御部１６１を備える。判定部１６０及び排水栓制御部１６１は、プログラムを実行するコンピュータにより構成されてもよいし、プログラムを実行しないハードウェアにより構成されてもよい。給湯器１０及び給湯経路１１が、排水栓装置１４０の一部を構成してもよい。
【００３４】
検知機構１５０は、浴槽１２内に張られた湯水Ｗの水位と相関を有する検知結果を取得する。検知機構１５０は、浴槽１２内又は給湯経路１１の内部に配置され、望ましくは、給湯経路１１の内部に配置され、さらに望ましくは、給湯口アダプタ１０１の内部に配置され、特に望ましくは、給湯口アダプタ１０１の給湯口に沿って配置される。
【００３５】
判定部１６０は、取得された検知結果が、浴槽１２内に張られた湯水Ｗが排水されている場合に満たされる条件を満たすか否かを判定する。
【００３６】
排水栓制御部１６１は、排水栓１３を制御する。排水栓制御部１６１は、取得された検知結果が上述した条件を満たすと判定された時点から設定された閉栓無効時間にわたって排水栓１３が排水口１３０を閉栓することを禁止する。排水栓１３は、排水口１３０を閉栓することが禁止されている間は、浴槽１２に張られた湯水Ｗが存在しないことを取得された検知結果が示している場合であっても、排水口１３０を閉栓しない。
【００３７】
給湯器１０は、排水栓１３が浴槽１２の排水口１３０を閉栓することを排水栓制御部１６１が禁止している間に、洗浄用湯水を追い焚き配管１００に供給する。これにより、追い焚き配管１００の内部に残された残り湯水が、浴槽１２内に押し流される。
【００３８】
これらにより、浴槽１２内に張られた湯水Ｗが排水されていることが判明した時点から設定された閉栓無効時間にわたって浴槽１２の排水口１３０が閉栓されない。このため、洗浄用湯水により追い焚き配管１００が洗浄された場合でも、追い焚き配管１００から押し流された残り湯水が、排水口１３０を経由して排水される。このため、後に浴槽１２内に張られる湯が追い焚き配管１００から押し流された残り湯水により汚染されることを抑制することができる。
【００３９】
以下では、検知機構１５０が水圧センサであり、取得される検知結果が水圧を示す場合について説明が進められる。ただし、検知機構１５０が水圧センサ以外のセンサであってもよい。例えば、検知機構１５０が水位センサ、水流センサ等であってもよい。
【００４０】
３  条件の第１の例
上述した条件の第１の例は、取得された検知結果により特定される水位が設定された範囲内にあるという条件、又は取得された検知結果により特定される水位が設定された範囲内にある状態が設定された時間であるａ秒間にわたって継続しているという条件である。
【００４１】
上述した条件が、取得された検知結果により特定される水位が設定された範囲内にあるという条件である場合は、判定部１６０は、取得された検知結果により特定される水位が設定された範囲内に収まった時点に、取得された検知結果が条件を満たしたと判定する。また、排水栓制御部１６１は、取得された検知結果が条件を満たしたと判定された時点から設定された時間であるｘ秒間にわたって、排水栓１３が浴槽１２の排水口１３０を閉栓することを禁止する。
【００４２】
上述した条件が、取得された検知結果により特定される水位が設定された範囲内にある状態がａ秒間にわたって継続しているという条件である場合は、判定部１６０は、取得された検知結果により特定される水位が設定された範囲内に収まった第１の時点からａ秒間にわたって取得された検知結果をモニタリングする。また、判定部１６０は、ａ秒間にわたってモニタリングした検知結果により特定される水位が依然として設定された範囲内に収まっている場合は、第１の時点からａ秒後の第２の時点に、取得された検知結果が条件を満たしたと判定する。また、排水栓制御部１６１は、取得された検知結果が条件を満たしたと判定された第２の時点から設定された時間であるｘ秒間にわたって、排水栓１３が浴槽１２の排水口１３０を閉栓することを禁止する。
【００４３】
浴槽１２内に張られた湯水Ｗが排水され、水位が検知機構１５０の高さまで低下した後は、取得された検知結果により特定される水位が一定の水位になる。このため、上述した範囲が当該一定の水位を含むように設定された場合は、水位が検知機構１５０の高さまで低下した後にｘ秒間にわたって浴槽１２の排水口１３０を閉栓することが禁止される。加えて、検知機構１５０が給湯経路１１の内部に配置される場合、及び検知機構１５０が浴槽１２内に配置されるが給湯経路１１の高さと同じ高さに配置される場合は、水位が給湯経路１１の高さまで低下した後にｘ秒間にわたって浴槽１２の排水口１３０を閉栓することが禁止される。これにより、水位が０又は入浴が行われる場合にはありえない水位まで低下した後にｘ秒間にわたって浴槽１２の排水口１３０を閉栓することが禁止される。
【００４４】
第１の例は、水位が給湯経路１１の高さより低くなった場合に追い焚き配管１００が洗浄される場合に好適に採用される。
【００４５】
４  条件の第２の例
上述した条件の第２の例は、浴槽１２内に張られた湯水Ｗが排水され、水位が給湯経路１１の高さまで低下した際に、給湯経路１１の内部の圧力が瞬間的に負圧になることを利用する。したがって、第２の例が採用される場合は、検知機構１５０が、給湯経路１１の内部に配置される。また、取得される検知結果は、給湯経路１１の内部の圧力を示す。
【００４６】
上述した条件の第２の例は、取得された検知結果により示される圧力が負圧であるという条件、又は取得された検知結果により示される圧力が負圧である状態が設定された時間であるｂ秒間に渡って継続しているという条件である。
【００４７】
上述した条件が、取得された検知結果により示される圧力が負圧であるという条件である場合は、判定部１６０は、取得された検知結果により示される圧力が負圧になった時点に、取得された検知結果が条件を満たしたと判定する。また、排水栓制御部１６１は、取得された検知結果が条件を満たしたと判定された時点から設定された時間であるｙ秒間にわたって、排水栓１３が浴槽１２の排水口１３０を閉栓することを禁止する。
【００４８】
上述した条件が、取得された検知結果により示される圧力が負圧である状態がｂ秒間にわたって継続しているという条件である場合は、判定部１６０は、取得された検知結果により示される圧力が負圧になった第１の時点からｂ秒間にわたって取得された検知結果をモニタリングする。また、判定部１６０は、ｂ秒間にわたってモニタリングした検知結果により示される圧力が依然として負圧である場合は、第１の時点からｂ秒後の第２の時点に、取得された検知結果が条件を満たしたと判定する。また、排水栓制御部１６１は、取得された検知結果が条件を満たしたと判定された第２の時点から設定された時間であるｙ秒間にわたって、排水栓１３が浴槽１２の排水口１３０を閉栓することを禁止する。
【００４９】
第２の例は、水位が給湯経路１１の高さより低くなった場合に追い焚き配管１００が洗浄される場合に好適に採用される。
【００５０】
５  条件の第３の例
図３は、第１実施形態の排水栓装置を備える入浴設備において浴槽内に張られた湯水が排水されている間の当該湯水の水位の時間変化を示すグラフである。
【００５１】
浴槽１２内に張られた湯水Ｗが排水されている間の当該湯水の水位の時間変化は、図３に示されるように、時間が経過するにつれて水位が低下する水位の時間変化である。ただし、当該水位の時間変化においては、時間が経過するにつれて浴槽１２の底面における水圧が低下するため、時間が経過するにつれて水位の低下の速度が遅くなる。
【００５２】
上述した条件の第３の例は、浴槽１２内に張られた湯水Ｗが排水されている間の水位の時間変化が、図３に示される特定の水位の時間変化であることを利用する。
【００５３】
上述した条件の第３の例は、取得された検知結果により特定される水位の時間変化が設定された水位の時間変化に一致するという条件である。設定された水位の時間変化は、図３に図示されるグラフで示される特定の水位の時間変化である。
【００５４】
上述した条件が、取得された検知結果により特定される水位の時間変化が設定された水位の時間変化に一致するという条件である場合は、取得された検知結果により特定される水位の時間変化が設定された水位の時間変化に一致すると判定することができた時点に、取得された検知結果が条件を満たしたと判定する。また、排水栓制御部１６１は、取得された検知結果が条件を満たしたと判定された時点から設定された時間であるｚ秒間にわたって、排水栓１３が浴槽１２の排水口１３０を閉栓することを禁止する。
【００５５】
第３の例は、水位が給湯経路１１の高さより高い場合であっても浴槽１２内に張られた湯水Ｗが排水されているときに追い焚き配管１００が洗浄されるときに好適に採用される。
【００５６】
６  閉栓無効時間
閉栓無効時間は、事前に集計されたデータに基づいて設定され、望ましくは、配管洗浄時間と同じか又は配管洗浄時間より長い。これにより、排水栓１３が排水口１３０を閉栓することが禁止されていない期間に洗浄用湯水が供給されることを抑制することができる。
【００５７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５８】
１  入浴設備
１０  給湯器
１１  給湯経路
１２  浴槽
１３  排水栓
１００  追い焚き配管
１０１  給湯口アダプタ
１１０  給湯配管
１１１  戻し配管
１３０  排水口
１４０  排水栓装置
１５０  検知機構
１５１  制御部
【図１】
2020159587.tif 000003
【図２】
2020159587.tif 000004
【図３】
2020159587.tif 000005